(57)【特許請求の範囲】
【請求項１】
操作者の肩に掛けるショルダーストラップを取り付けるストラップ孔と、操作者のウエストベルトに掛けるウエストハンガーバンドを取り付けるバンド孔と、装置本体に取り付けるネジを通すネジ孔と、を設けたストラップ・バンド取付プレートを上記ネジで装置本体に取付けて、上記ストラップ孔にショルダーストラップを取り付け、上記バンド孔にウエストハンガーバンドを取り付ける携帯型情報端末装置において、
上記ストラップ・バンド取付プレートは、略２等辺三角形状に形成され、
上記略２等辺三角形のストラップ・バンド取付プレートの一対の等角部に上記ストラップを取り付ける一対のストラップ孔が設けられ、これら一対のストラップ孔間にバンド孔が設けられ、他の角部に上記ネジ孔が設けられていることを特徴とする携帯型情報端末装置。
【請求項２】
上記ストラップ・バンド取付プレートは、上記装置本体に所定の間隔をもって２個取り付けられていて、
上記ウエストハンガーバンドは、上記２個のストラップ・バンド取付プレートのバンド孔間に掛け渡されていることを特徴とする請求項１に記載の携帯型情報端末装置。
【請求項３】
上記装置本体は、上記ストラップ・バンド取付プレートを取り付けるプレート取付部を備え、
上記プレート取付部は、上記装置本体の表面に形成された非円形の凹部と、該凹部の中央部に設けられたネジ螺合部と、を備え、
上記ストラップ・バンド取付プレートは、上記装置本体の表面に重ね合わせたときに上記凹部に嵌合する非円形の回転阻止用の凸部を備えていることを特徴とする請求項１又は２に記載の携帯型情報端末装置。
【発明の詳細な説明】
【技術分野】
【０００１】
本発明は、ショルダーストラップを使用することにより肩に掛けて携帯し、或はウエストハンガーバンドを使用することにより操作者のウエストベルトに掛けて携帯できるようにした携帯型情報端末装置に関し、特に、携帯型情報端末装置にショルダーストラップやウエストハンガーバンドを簡単、容易に取り付けることができるようにしたものである。
【背景技術】
【０００２】
デジタル化された画像や音声等の情報を遠隔地にある情報装置に伝送するための携帯型情報端末装置が知られている。図９は上記携帯型情報端末装置１００の使用状態の一例を示す説明図である。上記携帯型情報端末装置１００は、操作者１０１の持つカメラ１０２からの画像情報等を圧縮処理して伝送媒体（通信網）１０３を介して伝送する。伝送された情報は、情報処理装置１０４で伸長処理されて再生されて表示装置１０５に表示される。
【０００３】
上記携帯型情報端末装置１００は、操作者１０１がカメラ１０２を手に持った状態でも携帯できるようにショルダーストラップ１０６で操作者１０１の肩に掛けられ、或は操作者１０１のウエストベルト１０７に取り付けられて持ち運び可能になっている。
【０００４】
図１０に示すように、上記携帯型情報端末装置１００には、ストラップ取付部１０８とウエストベルト取付部１０９が設けられていて、上記ストラップ取付部１０８にショルダーストラップ１０６が取り付けられ、上記ウエストベルト取付部１０９が操作者１０１のウエストベルト１０７に取り付けられる。（例えば、特許文献１参照）
【特許文献１】特開２００２−２９９８４５号公報
【発明の開示】
【発明が解決しようとする課題】
【０００５】
ところで、上記携帯型情報端末装置１００にあっては、ストラップ取付部１０８とウエストベルト取付部１０９は、互いに独立、別個に形成されていたために、次に述べるような問題点があった。
（１）ストラップ取付部１０８とウエストベルト取付部１０９を別個に形成しなければならず、製造コストが高くなる。
（２）ストラップ取付部１０８とウエストベルト取付部１０９を別々の場所に設けるための配置スペースが必要になり、スペース的な制約を受けやすい。
【０００６】
本願発明の目的は、上記従来の問題点を解決し、より簡単な構成で操作者の肩に掛けて携帯し、或は操作者のウエストベルトに掛けて携帯できるようにした携帯型情報端末装置を提供することにある。
【課題を解決するための手段】
【０００７】
請求項１の携帯型情報端末装置は、操作者の肩に掛けるショルダーストラップを取り付けるストラップ孔と、操作者のウエストベルトに掛けるウエストハンガーバンドを取り付けるバンド孔と、装置本体に取り付けるネジを通すネジ孔と、を設けたストラップ・バンド取付プレートを、上記ネジで装置本体に取付けて、上記ストラップ孔にショルダーストラップを取り付け、上記バンド孔にウエストハンガーバンドを取り付ける携帯型情報端末装置において、
上記ストラップ・バンド取付プレートは、略２等辺三角形状に形成され、
上記略２等辺三角形のストラップ・バンド取付プレートの一対の等角部に上記ストラップを取り付ける一対のストラップ孔が設けられ、これら一対のストラップ孔間にバンド孔が設けられ、他の角部に上記ネジ孔が設けられている。
【０００８】
請求項２は、請求項１の携帯型情報端末装置において、上記ストラップ・バンド取付プレートを、上記装置本体の前面又は後面又は側面の上下の端部に所定の間隔をもって２個取り付け、これら２個のストラップ・バンド取付プレートのバンド孔間に上記ウエストハンガーバンドを掛け渡す構成にした。
【００１０】
請求項３は、請求項１又は２の携帯型情報端末装置において、上記装置本体は、上記ストラップ・バンド取付プレートを取り付けるプレート取付部を備え、
上記プレート取付部は、上記装置本体の表面に形成された非円形の凹部と、該凹部の中央部に設けられたネジ螺合部と、を備え、
上記ストラップ・バンド取付プレートは、上記装置本体の表面に重ね合わせたときに上記凹部に嵌合する非円形の回転阻止用の凸部を備えている。
【発明の効果】
【００１１】
（１）請求項１の携帯型情報端末装置は、ストラップ・バンド取付プレートにショルダーストラップとウエストハンガーバンドの両方を取り付けることができる。
特に、上記ストラップ・バンド取付プレートを、略２等辺三角形状に形成し、
上記略２等辺三角形のストラップ・バンド取付プレートの一対の等角部に上記ストラップを取り付ける一対のストラップ孔が設け、これら一対のストラップ孔間にバンド孔が設け、他の角部に上記ネジ孔が設けたので、略２等辺三角形状のストラップ・バンド取付プレートの１つの角部をネジで装置本体に取り付けて固定端とし、残りの２つの角部を非固定の自由端とし、該自由端側にストラップ孔とバンド孔を設けたので、これらストラップ孔やバンド孔にショルダーストラップとウエストハンガーバンドを挿入して取り付ける際に、上記自由端側を装置本体から比較的容易に浮かすことができ、これらショルダーストラップとウエストハンガーバンドの取り付けが容易になる。
（２）請求項２の携帯型情報端末装置は、装置本体に所定の間隔をもって取り付けた２個のストラップ・バンド取付プレートのバンド孔間にウエストハンガーバンドを掛け渡し、該ウエストハンガーバンドと装置本体の間に操作者のウエストベルトを挟むことができる。
（３）請求項３の携帯型情報端末装置は、上記装置本体の表面にストラップ・バンド取付プレートを重ね合わせてネジ止めする際に、上記装置本体の表面に設けた上記ストラップ・バンド取付プレートに設けた非円形の回転阻止用の凸部を嵌合することにより、上記ストラップ・バンド取付プレートがネジを中心にして回転するのを防止する。
【発明を実施するための最良の形態】
【００１２】
図１は携帯型情報端末装置の斜視図、図２はストラップ・バンド取付プレートを取り外した状態の斜視図、図３はストラップ・バンド取付プレートの斜視図、図４は装置本体のプレート取付部部分の拡大斜視図、図５は図１のＡ−Ａ断面図、図６は図１のＢ−Ｂ断面図、図７はショルダーストラップを取り付けた状態の斜視図、図８はウエストハンガーバンドを取り付けた状態の斜視図である。
【００１３】
携帯型情報端末装置１は、例えば、図９に示すようにデジタル化された画像や音声等の情報を遠隔地にある情報装置に伝送するための携帯型情報端末装置として構成されている。
【００１４】
携帯型情報端末装置１は、装置本体２と、該装置本体２の下端に着脱自在に取り付けられる防水カバー３と、を備えている。
【００１５】
上記装置本体２は、防水効果を有する筐体２Ａの内部に各種のプリント基板等の各種の部品を内蔵し、筐体２Ａの前面（矢印ａで示す面）に携帯型情報端末装置１の操作を行うスイッチやモニタ表示部等を設けた操作パネル部（図示省略）が設けられ、筐体２Ａの後面（矢印ｂで示す面）にストラップ・バンド取付プレート１１，１２が設けられ、筐体２Ａの底面に外部機器との電気的接続を行う外部インターフェイスパネル部（図示省略）が設けられている。
【００１６】
上記防水カバー３は、装置本体２の底面に着脱可能に取り付けられて、上記外部インターフェイスパネル部を雨水等から保護する。防水カバー３は、透明の合成樹脂で有底筒状に形成されていて、上端部を上記装置本体２の下端に差し込むことにより装置本体２に取り付けられる。
【００１７】
次に、ストラップ・バンド取付プレート１１，１２について説明する。ストラップ・バンド取付プレート１１，１２は、同一に形成されている。図３に拡大して示すように、ストラップ・バンド取付プレート１１，１２は、ショルダーストラップ１１１（図７参照）を取り付けるストラップ孔１３と、操作者のウエストベルト１１２に掛けるウエストハンガーバンド１１３（図８参照）を取り付けるバンド孔１４と、装置本体２に取り付けるネジ１１４を通すネジ孔１５と、を備えている。
【００１８】
上記ストラップ・バンド取付プレート１１，１２は、金属や硬質合成樹脂により略２等辺三角形状に形成されていて、一対の等角部に上記ショルダーストラップ１１１を取り付ける一対のストラップ孔１３，１３が設けられ、これら一対のストラップ孔１３，１３間にバンド孔１４が設けられ、残りの角部に上記ネジ孔１５が設けられている。
【００１９】
図１，図２に示すように、一方のストラップ・バンド取付プレート１１は、上記装置本体２の後面の上端部に取り付けられ、他方のストラップ・バンド取付プレート１２は、上記装置本体２の後面の下端部に取り付けられている。
【００２０】
上記装置本体２は、上記ストラップ・バンド取付プレート１１を取り付けるための上下一対のプレート取付部２１，２２を備えている。
【００２１】
図４に拡大して示すように、上記プレート取付部２１，２２は、上記装置本体２の筐体２Ａの表面に形成された非円形の凹部２３と、該凹部２３の中央部に設けられたネジ螺合部２４と、を備えている。
【００２２】
一方、図３に示すように、上記ストラップ・バンド取付プレート１１，１２は、上記装置本体２に取り付けるべく装置本体２の表面に重ね合わせたときに上記凹部２３に嵌合する非円形の回転阻止用の凸部１６を備えている。
【００２３】
次に、装置本体２へのストラップ・バンド取付プレート１１，１２の取付方法の一例を説明する。図２に示すように、一方のストラップ・バンド取付プレート１１をストラップ孔１３やバンド孔１４を上に向け、且つ回転阻止用の凸部１６を装置本体２側に向けた状態で、該装置本体２に重ね合わせて、上記回転阻止用の凸部１６を上記装置本体２の非円形の凹部２３に嵌合する。そして、ネジ１１４でストラップ・バンド取付プレート１１を装置本体２のプレート取付部２１に取り付ける。上記回転阻止用の凸部１６を上記プレート取付部２１の非円形の凹部２３に嵌合することによりストラップ・バンド取付プレート１１の回転が阻止される。
【００２４】
図５に示すように、装置本体２に取り付けられたストラップ・バンド取付プレート１１は、ストラップ孔１３やバンド孔１４が装置本体２の表面から離間した状態になっていて、これらストラップ孔１３やバンド孔１４にショルダーストラップ１１１やウエストハンガーバンド１１３を容易に挿入することができる。上記ストラップ・バンド取付プレート１１は、略三角形状に形成されていて１つの角部がネジ１１４で装置本体２に取り付けられ、ネジ止めされていない残りの２つの角部間、即ちネジによって固定されていない自由端側にストラップ孔１３やバンド孔１４が設けられているので、これらストラップ孔１３やバンド孔１４が設けられている自由端側を装置本体２から多少、浮き上がらせて、これらストラップ孔１３やバンド孔１４へショルダーストラップ１１１やウエストハンガーバンド１１３を取り付けることも可能である。
【００２５】
次に、他方のストラップ・バンド取付プレート１２をストラップ孔１３やバンド孔１４を下に向け、且つ回転阻止用の凸部１６を装置本体２側に向けた状態で、該装置本体２に重ね合わせて、上記回転阻止用の凸部１６を上記装置本体２の非円形の凹部２３に嵌合する。そして、ネジ１１４でストラップ・バンド取付プレート１２を装置本体２のプレート取付部２２に取り付ける。上記回転阻止用の凸部１６を上記プレート取付部２２の非円形の凹部２３に嵌合することによりストラップ・バンド取付プレート１２の回転が阻止される。このようにして、装置本体２のプレート取付部２２に取り付けられたストラップ・バンド取付プレート１２は、図６に示すように、上記ストラップ・バンド取付プレート１１の場合と同様にストラップ孔１３やバンド孔１４が装置本体２の表面から離間した状態になっていて、バンド孔１４にウエストハンガーバンド１１３を挿入することが容易になる。（ショルダーストラップ１１１は、その性質上、上方のストラップ・バンド取付プレート１１に取り付けられ、下方のストラップ・バンド取付プレート１２は、専らウエストハンガーバンド１１３を取り付けるのに使用される）。
【００２６】
上述のようにして、装置本体２に組み付けられたストラップ・バンド取付プレート１１，１２には、ショルダーストラップ１１１やウエストハンガーバンド１１３が取り付けられる。
【００２７】
図７はショルダーストラップ１１１の取付状態を示す斜視図である。ショルダーストラップ１１１は、両端部をストラップ・バンド取付プレート１１の一対のストラップ孔１３，１３に係止されている。図８はウエストハンガーバンド１１３の取付状態を示す斜視図である。ウエストハンガーバンド１１３は、バンド孔１４を利用することにより上下のストラップ・バンド取付プレート１１，１２間に掛け渡されている。そして、ウエストハンガーバンド１１３と装置本体２の間で操作者のウエストベルト１１２を挟むようになっている。
【図面の簡単な説明】
【００２９】
【図１】携帯型情報端末装置の斜視図
【図２】トラップ・バンド取付プレートを取り外した状態の斜視図
【図３】ストラップ・バンド取付プレートの斜視図
【図４】装置本体のプレート取付部部分の拡大斜視図
【図５】図１のＡ−Ａ断面図
【図６】図１のＢ−Ｂ断面図
【図７】ショルダーストラップを取り付けた状態の斜視図
【図８】ウエストハンガーバンドを取り付けた状態の斜視図
【図９】携帯型情報端末装置の使用状態の一例を示す説明図
【図１０】従来の携帯型情報端末装置の斜視図
【符号の説明】
【００３０】
１…携帯型情報端末装置
２…装置本体
３…防水カバー
１１…ストラップ・バンド取付プレート
１２…ストラップ・バンド取付プレート
１３…ストラップ孔
１４…バンド孔
１５…ネジ孔
１６…回転阻止用の凸部
２１…プレート取付部
２２…プレート取付部
２３…非円形の凹部
２４…ネジ螺合部
１１１…ショルダーストラップ
１１２…ウエストベルト
１１３…ウエストハンガーバンド
１１４…ネジ
【図１】
0005239244.tif 000002
【図２】
0005239244.tif 000003
【図３】
0005239244.tif 000004
【図４】
0005239244.tif 000005
【図５】
0005239244.tif 000006
【図６】
0005239244.tif 000007
【図７】
0005239244.tif 000008
【図８】
0005239244.tif 000009
【図９】
0005239244.tif 000010
【図１０】
0005239244.tif 000011